(57)【要約】【課題】  ＩＥＥＥ１３９４シリアルバスによって、複数の記録装置が接続されたネットワークにおいて、記録中の記録装置の残り容量が不足した場合に、他の記録装置に記録先を切り換える。【解決手段】  上記ネットワークに接続された各記録装置は、記録するコンテンツに応じて、記録部を仮想的なパーティションに分けて記録することを特徴とし、また、ＦＣＰによって記録するパーティションの切り換えが可能であることを特徴とする。【選択図】  図１
2006244135.tif 000002
【特許請求の範囲】
【請求項１】
複数の記録装置とデータを送信する装置が接続されたネットワークにおいて、各記録装置は、記録コンテンツ（画像、映像、音声等、及びテンポラリ）に応じて、自身の内部に記録用パーティションを分割して保持し、それぞれに異なるコンテンツを記録することを特徴とする記録装置。
【請求項２】
複数の記録装置とデータを送信する装置が接続されたネットワークにおいて、各記録装置は自身が記録装置であることを示す情報をＩＥＥＥ１３９４のアドレス空間にマップされる自身のローカルメモリに保持することを特徴とする請求項１記載の記録装置。
【請求項３】
複数の記録装置とデータを送信する装置が接続されたネットワークにおいて、ネットワーク上を伝送されるデータを記録している最中に、残り記録容量が少なくなった場合には、データの送信元に対してその旨を通知する手段を持つことを特徴とする請求項１記載の記録装置。
【請求項４】
請求項３記載の通知方法として、Ｆｕｎｃｔｉｏｎ  Ｃｏｎｔｒｏｌ  Ｐｒｏｔｏｃｏｌによる通知を行うことを特徴とした記録装置。
【請求項５】
記録の為の残り容量によらず、上書きすることによって常に記録することが可能であるテンポラリパーティションを自身の記録部に含むことを特徴とする請求項１記載の記録装置。
【請求項６】
記録要求があった場合に、それが一時的に記録しておくだけのものであった場合には、請求項５記載のテンポラリパーティションに記録することを特徴とする請求項１記載の記録装置。
【請求項７】
テンポラリパーティションに記録されたコンテンツのヘッダに、他のどの記録装置で記録されていたかを示す情報（ＥＵＩ６４）を付与することを特徴とする請求項１記載の記録装置。
【請求項８】
記録許可、不許可の設定をユーザ毎に設定できることを特徴とする請求項１記載の記録装置。
【発明の詳細な説明】
【技術分野】
【０００１】
本発明は、ネットワークに接続された記録装置にネットワーク上を伝送するストリームデータを記録するための制御方法に関する。
【背景技術】
【０００２】
従来のストリームデータ、例えば映像データ、音声データを記録する際にテープメディアの場合には、コンテンツの内容に応じて、記録位置を変えることは困難であり、またテープが終了してしまえば、例えデータが伝送されてきたとしても記録することはできなかった。ネットワーク上を伝送されてくるデータをＨＤＤなどのランダムアクセス可能な記録媒体に記録する際にも、容量が足りなくなれば記録できなくなることがあった。データを記録している場合には、常にユーザが監視しているわけではなく、ユーザ不在時に容量が足りなくなった場合には、データの取りこぼしが生じてしまうことになる。
【０００３】
又、従来例としては、例えば特許文献１と特許文献２をあげることが出来る。
【特許文献１】特開２００３−１２２６５８号公報
【特許文献２】特開２００３−１３４４３５号公報
【発明の開示】
【発明が解決しようとする課題】
【０００４】
上記の点から、今後、容量が足りなくなった場合にも、データをできる限り記録しておく方法が必要となる。
【課題を解決するための手段】
【０００５】
そこで、本発明では、ネットワーク環境を利用し、ネットワーク上の他の記録装置のリソースを共有することによってデータを分散して記録することにより、記録容量不足を解決する。
【発明の効果】
【０００６】
以上述べたように、本発明によれば、ネットワーク上に記録装置が複数接続されている場合には、各記録装置が共有の一時記録用パーティションを持つことにより、記録時に容量が足りなくなった場合にも、それら一時記憶領域を利用することによって、記録データの欠落をなくすことができる。また、一時記憶領域に記録したデータに元の記録装置の情報を付与しておくことによって、それらのデータがどの記録装置に記録されているかを容易に知ることができる。
【発明を実施するための最良の形態】
【０００７】
図１はＩＥＥＥ１３９４シリアルバス１００によって接続された複数の機器によって構成されるネットワークを示している。１０１は外部からの信号を受信しＩＥＥＥ１３９４シリアルバス上の映像伝送フォーマットでネットワークに送信するチューナーである。１０３はＩＥＥＥ１３９４ＩＦを備えたデジタルビデオカメラである。１０２はＩＥＥＥ１３９４シリアルバスからの入力映像を表示するためのデジタルテレビである。１０４，１０５，１０６はＩＥＥＥ１３９４シリアルバスに伝送される映像を記録しておくための記録装置（ハードディスク）である。
【０００８】
各記録装置１０４，１０５，１０６は、記録部が図２に示される仮想的なパーティションによって分割される。図２において、２０１は映像コンテンツ記録用パーティション、２０２は静止画像コンテンツ記録用パーティション、２０３は音声コンテンツ記録用パーティション、２０４はコンテンツ非依存の一時記録用のテンポラリパーティションである。
【０００９】
図１において、データを記録装置１０４に記録する方法は以下の通りである。
【００１０】
デジタルテレビ１０２はネットワークに接続された、記録装置１０４，１０５，１０６の情報を取得する。この際にネットワークに接続された機器が、本発明の記録装置であるか否かは、図３の３０３に示される１３９４アドレス空間にマップされたローカルメモリから情報をＲｅａｄ  Ｔｒａｎｓａｃｔｉｏｎによって読み出すことによって取得できる。この情報が配置されるオフセットアドレスはＣｏｎｆｉｇｕｒａｔｉｏｎ  ＲＯＭ内に図３のフォーマットのＫｅｙ  Ｔｙｐｅ３０１とオフセットアドレス３０２によって示される。
【００１１】
デジタルテレビ１０２は各記録装置の情報を読み出すと、接続された記録装置の状態を表示する。図４はネットワーク上の記録装置の状態をデジタルテレビ１０２の表示画面４００に表示した状態を示している。ユーザは表示された記録装置４０１，４０２，４０３から選択し決定する。ただしこの図において、記録装置４０３に関しては他のユーザからすでに記録予約状態になっていることを示しているため、ユーザは４０１もしくは４０２から選択する。ここで４０２を選択すると、ダイアログ４０４が表示されるのでユーザは記録コンテンツを選択して設定する。
【００１２】
デジタルテレビ１０２からの映像データを記録装置１０５が記録するとして以下に説明する。デジタルテレビは選択されたコンテンツデータを記録させるように記録装置１０５に対してその旨通知する。通知する手段としては、Ｆｕｎｃｔｉｏｎ  Ｃｏｎｔｒｏｌ  Ｐｒｏｔｏｃｏｌを用いて行い、図５に示されるＦＣＰフォーマットのＯｐｃｏｄｅとＯｐｅｒａｎｄの組み合わせによって記録パーティションを指定する。記録装置１０５はＩＥＥＥ１３９４シリアルバス経由でアイソクロナスモードで伝送されてくる映像データを指定されたコンテンツパーティション（この場合動画記録用のパーティション）に記録を開始する。記録装置１０５は、指定パーティションの記録容量が少なくなると（完全になくならない状態）、デジタルテレビ１０２に対して、前述のＦＣＰによってその旨通知する。デジタルテレビ１０２は、ネットワーク上の他の記録装置１０４に対して、現在、記録装置１０５に記録されているのと同様のデータを記録装置１０４のテンポラリパーティションに記録するよう前述のＦＣＰによって通知する。またこの時に記録装置１０５のＣｏｎｆｉｇｕｒａｔｉｏｎ  ＲＯＭ内に記述されたノードの固有識別子であるＥＵＩ６４も通知しておく。記録装置１０４は、このＥＵＩ６４をヘッダ情報として、テンポラリパーティションに記録するコンテンツに付与する。また同様にデジタルテレビ１０２は記録装置１０５に対しても記録装置１０４のＥＵＩ６４を通知しておく。これにより、ユーザは記録容量が足りなくなって記録できなくなった場合にも、他の記録装置からこの情報を取り出し、データの欠落がなく記録情報を得ることが可能となる。
【図面の簡単な説明】
【００１３】
【図１】ＩＥＥＥ１３９４シリアルバスに複数機器が接続されたネットワークを示す図
【図２】記録装置内のパーティションを表す簡易図
【図３】記録装置内の１３９４アドレス空間とそのオフセットを示すＣｏｎｆｉｇｕｒａｔｉｏｎ  ＲＯＭ内のフォーマット図
【図４】デジタルテレビの表示画面
【図５】Ｆｕｎｃｔｉｏｎ  Ｃｏｎｔｒｏｌ  Ｐｒｏｔｏｃｏｌのフォーマット
【図１】
2006244135.tif 000003
【図２】
2006244135.tif 000004
【図３】
2006244135.tif 000005
【図４】
2006244135.tif 000006
【図５】
2006244135.tif 000007